(57)【要約】【課題】部材点数を削減しながら、衣服用パッドとしての所定の厚みと形状とを形成することが可能な衣服用パッドを提供する。【解決手段】この衣服用パッド（肩パッド１）では、下部布片３が上部布片２との間に所定の空間Ｓを有した状態で上部布片２と縫い合わされる基部３１と、その基部３１から上部布片２側へ隆起しているとともに所定の空間Ｓ内に位置する複数のダーツ部３２ａからなる隆起部３２とを一体に有する。【選択図】図１
2008002005.tif 000002
【特許請求の範囲】
【請求項１】
第１の布片と、
前記第１の布片上を覆うように設けられ、その縁部において前記第１の布片と結合する第２の布片とを備え、
前記第１の布片は、前記第２の布片との間に所定の空間を有した状態で前記第２の布片と結合する基部と、その基部から前記第２の布片側へ隆起しているとともに前記所定の空間内に位置する隆起部とを一体に有する、衣服用パッド。
【請求項２】
前記隆起部は、前記第１の布片の基部の一部がひだ状に摘まれることにより形成されたダーツ部を含む、請求項１に記載の衣服用パッド。
【請求項３】
前記ダーツ部は、前記基部のひだ状に摘まれた部分の根元部分が縫い合わされることにより形成されたものである、請求項２に記載の衣服用パッド。
【請求項４】
前記ダーツ部は、複数設けられており、
前記複数のダーツ部は、前記所定の空間内において所定間隔で配列されている、請求項２または３に記載の衣服用パッド。
【発明の詳細な説明】
【技術分野】
【０００１】
本発明は、衣服の所定箇所に取り付けられることにより体型を整えるための衣服用パッドに関するものである。
【背景技術】
【０００２】
従来、衣服の所定箇所に取り付けられることにより体型を整えるための種々の衣服用パッドが知られている（たとえば、特許文献１参照）。
【０００３】
上記特許文献１に開示された衣服用パッドでは、２枚のシート層の間に芯材が挟み込まれるとともにそれらが一体化されることにより、衣服用パッドとしての所定の厚みと形状とが形成されている。
【特許文献１】特開２００２−１９４６１１号公報
【発明の開示】
【発明が解決しようとする課題】
【０００４】
上記特許文献１に開示された従来の衣服用パッドでは、衣服用パッドとしての所定の厚みと形状とを形成するために２枚のシート層に加えてその間に挟みこむ芯材が必要となる。このため、部品点数を削減するのが困難であるという問題点がある。
【０００５】
本発明は、上記のような課題を解決するためになされたものであり、その目的は、部品点数を削減しながら、衣服用パッドとしての所定の厚みと形状とを形成することが可能な衣服用パッドを提供することである。
【課題を解決するための手段】
【０００６】
上記目的を達成するために、本発明による衣服用パッドは、第１の布片と、第１の布片上を覆うように設けられ、その縁部において第１の布片と結合する第２の布片とを備えている。そして、第１の布片は、第２の布片との間に所定の空間を有した状態で第２の布片と結合する基部と、その基部から第２の布片側へ隆起しているとともに所定の空間内に位置する隆起部とを一体に有する。
【０００７】
この衣服用パッドでは、第１の布片が第２の布片との間に所定の空間を有した状態で第２の布片と結合する基部と、その基部から第２の布片側へ隆起しているとともに所定の空間内に位置する隆起部とを一体に有するので、この隆起部を芯材として用いて肩パッドとしての所定の厚みと形状とを形成することができる。これにより、別途芯材を設ける必要がないので、部品点数を削減しながら、衣服用パッドとしての所定の厚みと形状とを形成することができる。
【０００８】
上記衣服用パッドにおいて、隆起部は、第１の布片の基部の一部がひだ状に摘まれることにより形成されたダーツ部を含むのが好ましい。このように構成すれば、第１の布片の基部と一体となった隆起部を形成することができる。
【０００９】
この場合において、ダーツ部は、基部のひだ状に摘まれた部分の根元部分が縫い合わされることにより形成されたものであることが好ましい。このように構成すれば、第１の布片の基部からダーツ部を容易に形成することができる。
【００１０】
上記隆起部がダーツ部を含む構成において、ダーツ部は、複数設けられており、複数のダーツ部は、上記所定の空間内において所定間隔で配列されているのが好ましい。このように構成すれば、複数のダーツ部により衣服用パッドとしての所定の厚みと形状とを保持しやすくすることができる。
【発明の効果】
【００１１】
以上説明したように、本発明による衣服用パッドでは別途芯材を設ける必要がないので、部品点数を削減しながら、衣服用パッドとしての所定の厚みと形状とを形成することができる。
【発明を実施するための最良の形態】
【００１２】
以下、本発明の実施形態を図面を参照して説明する。なお、以下の実施形態では、本発明による衣服用パッドの一例として、衣服の肩部に設ける肩パッドを例にとって説明する。
【００１３】
図１は、本発明の一実施形態による肩パッド１の構成を示した斜視図、図２は、図１に示した肩パッド１の分解斜視図、図３は、図１に示した肩パッド１の上面図である。図１〜図３を参照して、本発明の一実施形態による肩パッド１の構成について説明する。
【００１４】
本実施形態による肩パッド１は、図１及び図２に示すように、上部布片２（第２の布片）と、下部布片３（第１の布片）とによって構成されている。
【００１５】
上部布片２は、図３に示すように、上方から見て半円状に形成されている。また、この上部布片２は、反発弾性素材を用いて形成されており、下部布片３上を覆うように設けられている。下部布片３は、上部布片２と同様、反発弾性素材を用いて形成されており、基部３１と複数のダーツ部３２ａからなる隆起部３２とを一体に有している。下部布片３の基部３１は、上方から見て半円状に形成されている。また、この基部３１は、上部布片２との間に所定の空間Ｓを有した状態で上部布片２と縫い合わされている。具体的には、基部３１の円弧状の周縁部３１ａと、上部布片２の円弧状の周縁部２ａとが縫い合わされており、その縫い目の内側に上記所定の空間Ｓが設けられている。そして、この所定の空間Ｓは、基部３１の直線状の端縁３１ｂ及び上部布片２の直線状の端縁２ｂ側に開口した構造を有している。
【００１６】
隆起部３２を構成する複数のダーツ部３２ａは、それぞれ、上記基部３１の一部がひだ状に摘まれるとともに、そのひだ状に摘まれた部分の根元部分が縫い合わされることによって形成されている。このひだ状に摘まれた部分の根元部分の縫い目３２ｂは、基部３１の直線状の端縁３１ｂからその端縁３１ｂと直交する方向に沿って円弧状の周縁部３１ａ側へ直線的に延びている。そして、ダーツ部３２ａもその縫い目３２ｂに沿って直線的に延びている。また、ダーツ部３２ａは、基部３１の端縁３１ｂから円弧状の周縁部３１ａ側へ行くに従って小径となる筒状に形成されている。
【００１７】
そして、複数のダーツ部３２ａは、基部３１から上部布片２側へ隆起しているとともに上記所定の空間Ｓ内に位置している。これにより、上部布片２の所定の空間Ｓに面する部分が各ダーツ部３２ａの高さ分だけ下部布片３の基部３１から上方に持ち上げられている。このようにして、肩パッド１として適切な所定の厚みが形成されている。
【００１８】
また、複数のダーツ部３２ａは、上記所定の空間Ｓ内において基部３１の直線状の端縁３１ｂに沿って所定間隔で設けられている。また、ダーツ部３２ａは、本実施形態では５つ設けられており、中央のダーツ部３２ａが最も大径となっているとともに、その中央のダーツ部３２ａから左右両側のダーツ部３２ａへ行くに連れて順番に径が小さくなっている。さらに、上部布片２及び下部布片３が全体的に湾曲することによって、肩パッド１として適切な全体的に湾曲した形状が形成されている。
【００１９】
以上説明したように、本実施形態による肩パッド１では、下部布片３が上部布片２との間に所定の空間Ｓを有した状態で上部布片２と縫い合わされる基部３１と、その基部３１から上部布片２側へ隆起しているとともに所定の空間Ｓ内に位置する複数のダーツ部３２ａからなる隆起部３２とを一体に有するので、この複数のダーツ部３２ａからなる隆起部３２を芯材として用いて肩パッド１としての所定の厚みと形状とを形成することができる。これにより、別途芯材を設ける必要がないので、部品点数を削減しながら、肩パッド１としての所定の厚みと形状とを形成することができる。
【００２０】
また、本実施形態では、ダーツ部３２ａが下部布片３の基部３１のひだ状に摘まれた部分の根元部分が縫い合わされることにより形成されたものであるので、下部布片３の基部３１からダーツ部３２ａを容易に一体に形成することができる。
【００２１】
また、本実施形態では、複数のダーツ部３２ａが上記所定の空間Ｓ内において所定間隔で配列されているので、複数のダーツ部３２ａにより肩パッド１としての所定の厚みと形状とを保持しやすくすることができる。
【００２２】
なお、本発明の範囲は、上記した実施形態に限定されるものではなく、本発明の要旨を逸脱しない範囲で種々の変更例を含む。
【００２３】
例えば、上記実施形態では、本発明による衣服用パッドの一例としての肩パッド１を例にとって説明したが、これに限らず、肩パッド１以外の衣服用パッドにも本発明を適用することが可能である。例えば、衣服の胸部に設けるパッドや膝部に設けるパッド等の種々の箇所に設けるパッドに本発明を適用することができる。
【００２４】
また、上記実施形態では、下部布片３の隆起部３２を複数のダーツ部３２ａによって構成したが、これに限らず、下部布片３の基部３１から一体に上部布片２側へ隆起する形態のものであれば上記以外の種々の形態の隆起部を設けてもよい。
【００２５】
また、上記実施形態では、下部布片３の基部３１のひだ状に摘まれた部分の根元部分を縫い合わせることによりダーツ部３２ａを形成したが、これに限らず、この根元部分を接着剤等で貼り合わせることによってダーツ部３２ａを形成してもよい。
【００２６】
また、上記実施形態では、上部布片２の円弧状の周縁部２ａと下部布片３の基部３１の円弧状の周縁部３１ａとを縫い合わせることにより上部布片２と下部布片３の基部３１とを結合させたが、これに限らず、これらの周縁部２ａ及び３１ａ同士を接着剤等で貼り合わせることによって結合させてもよい。
【図面の簡単な説明】
【００２７】
【図１】本発明の一実施形態による肩パッドの構成を示した斜視図である。
【図２】図１に示した肩パッドの分解斜視図である。
【図３】図１に示した肩パッドの上面図である。
【符号の説明】
【００２８】
３  下部布片（第１の布片）
２  上部布片（第２の布）
３１  基部
３２  隆起部
３２ａ  ダーツ部
Ｓ  所定の空間
【図１】
2008002005.tif 000003
【図２】
2008002005.tif 000004
【図３】
2008002005.tif 000005